(57)【要約】【課題】  電子において、電子のラブが１公転し、８×１０−３８Ｊの電気の光子を作る。電子のラブが１自転し、１０−５３Ｊの磁気の光子を作る。それでは電子の軌道はどのようになっているか。【解決手段】  電子のラブは１公転し、８×１０−３８Ｊの電気の光子を作る。しかし、電子のラブの公転軌道は狭く、高エネルギーであるから、電気の光子は集合する。１０８個集合して８×１０−３０Ｊの電気の光子となる。電子のラブは１自転し、１０−５３Ｊの磁気の光子を作る。しかし、電子のラブの自転軌道は狭く高エネルギーである。それで、磁気の光子は１０１６個集合して１０−３７Ｊの磁気の光子になる。この集合した光子が電気の光子の軌道を回転する。磁気の光子の軌道をクロス回転する電子の軌道から放出するとき、集団は解散し、８×１０−３８Ｊの電気の光子と、１０−５３Ｊの磁気の光子になる。【選択図】  図２
2005269892.tif 000002
【特許請求の範囲】
【請求項１】
磁気の光子が引力に成る原理。
磁気の光子は重なり合って、電子のラブの公転をクロス回転するものであるから引力になる。
引くためには結ぶものが必要です。その結ぶものが磁気の光子です。
磁気の光子は結ぶ輪です。原子と原子を結ぶ輪です。
磁気の光子は電子のラブの軌道に入り込み、電子のラブと電子のラブをダブルクロス回転する。これがミクロの結合である。
地球は地球の原子から放出する１０−５３Ｊの磁気の光子が満ちている。
結ぶ輪が多いほど結ぶ力は大きい。
その結ぶ輪に物質の電子のラブは結び付けられている。それが地球の引力である。
【請求項２】
電子のラブは１公転して何個の電気の光子を作り、１個の電気の光子のエネルギーはいくらか。
２００５年１月２５日提出の特許願の
【請求項３】
の３１から、
１秒間にできる電気の光子のエネルギーの式はどのようであるか。
１秒間にできる電気の光子のエネルギー＝電子のラブの１秒間の公転数×１０８×電気の光子１個のエネルギー。
電子のラブの１秒間の公転数は１０１６回です。１回公転すると１０８個の電気の光子ができる。
電気の光子１個のエネルギーは８×１０−３８Ｊです。
１秒間にできる電気の光子のエネルギー＝１０１６×１０８×８×１０−３８Ｊ＝８×１０−１４Ｊ。
この事によって、電子のラブは１公転して１０８個の電気の光子を作り、１個の電気の光子のエネルギーは８×１０−３８Ｊです。
【請求項３】
電子のラブは１自転してどれだけのエネルギーの磁気の光子を作るか。
２００５年１月２５日提出の特許願の
【請求項３】
の３２から、
１秒間にできる磁気の光子のエネルギー＝電子のラブの１秒間の自転数×磁気の光子１個のエネルギー。
電子の電子のラブの自転数は１０３２回で、磁気の光子１個のエネルギーは１０−５３Ｊですから、
１秒間にできる磁気の光子のエネルギーは、
１０３２回×１０−５３Ｊ＝１０−２１Ｊです。
この事によって、電子のラブは１自転して１０−５３Ｊの磁気の光子を作る。
【請求項４】
地球に存在する電気の光子１個のエネルギーは約８×１０−３８Ｊです。（但し、導線でできる電気の光子１個のエネルギーは８×１０−２２Ｊです。）
電気の光子はこの光子が集まってエネルギーを作っている。
例えば、１０−３０Ｊの電気の光子のエネルギーは、８×１０−３８Ｊの電気の光子が、
１０−３０Ｊ÷（８×１０−３８Ｊ）＝１．２５×１０７個集まったものです。
例えば、８×１０−３０Ｊの電気の光子は、８×１０−３８Ｊの光子が１０８個集まったものです。
【請求項５】
地球に存在する磁気の光子１個のエネルギーは１０−５３Ｊです。（但し、導線でできる磁気の光子１個のエネルギーは１．２５×１０−３７Ｊです。）
磁気の光子はこの磁気の光子が集まってエネルギーを作っている。
例えば、１０−３５Ｊの磁気の光子は、１０−５３Ｊの磁気の光子が、
１０−３５Ｊ÷１０−５３Ｊ＝１０１８個集まったものです。
例えば、１０−３７Ｊの磁気の光子は、１０−５３Ｊの磁気の光子が１０１６個集まったものです。
【請求項６】
電子のラブの軌道エネルギーの式と、電気の光子の軌道エネルギーの式と、磁気の光子の軌道エネルギーの式はどれだけか。
電子のラブの軌道エネルギーの式は、
０．７５×１０−２５Ｊ・ｍ÷軌道又はエネルギー  です。
電子のラブはこの軌道を１公転し８×１０−３８Ｊの磁気の光子を作る。
１公転し１０８の磁気の光子ができる。それで、１公転し、全部で８×１０−３０Ｊの電気の光子ができる。
電子のラブは１自転し、１０−５３Ｊの磁気の光子を作る。
磁気の光子は１０１６個束になって１０−３７Ｊの磁気の光子になる。
電気の光子の軌道エネルギーの式は、
１０−３３Ｊ・ｍ÷軌道又はエネルギー  です。
この軌道には８×１０−３８Ｊの電気の光子が１０８個集まった８×１０３０Ｊの電気の光子が回転している。
磁気の光子の軌道エネルギーの式は、
１０−４１Ｊ・ｍ÷軌道又はエネルギー  です。
この軌道には１０−５３Ｊの磁気の光子が１０１６個集まった１０−３７Ｊの磁気の光子がクロス回転している。
【請求項７】
電子のラブが１公転する事によって、８×１０−３８Ｊの電気の光子ができる公転軌道はいくらか。
この軌道は電子のラブの質量エネルギーとみなされている８×１０−１４Ｊが１秒間に電機のエネルギーになる軌道であるから、その軌道は、
０．７５×１０−２５Ｊ÷（８×１０−１４Ｊ）＝０．９３７５×１０−１２ｍです。
【請求項８】
電子のラブが１自転することによって１０−５３Ｊの磁気の光子ができる自転軌道はいくらか。
自転の軌道は、
１０−４１Ｊ・ｍ÷（８×１０−１４Ｊ）＝１．２５×１０−２８ｍです。
【請求項９】
どうして電気の光子は１０８個集まるのか。どうして磁気の光子は１０１６個集まるのか。数について。物理的環境について。
数について。
電気の光子が１０８個集まるのは、電子のラブが１公転し１０８個の電気の光子を作るからです。
磁気の光子が１０１６個集まるのは、電子のラブが１公転する間に１０１６回自転するからです。
１秒間に電子のラブは１０２４回公転し、１０３２回自転するからです。
物理的環境について。
電子のラブの軌道はできた電気の光子の何倍のエネルギーであるか。
電気の光子ができた軌道のエネルギーは、
０．７５×１０−２５Ｊ・ｍ÷（０．９３７５×１０−１２ｍ）＝８×１０−１４Ｊです。
このエネルギーはできた電気の光子の何倍のエネルギーか。
８×１０−１４Ｊ÷（８×１０−３８Ｊ）＝１０２４倍です。
磁気の光子ができた軌道のエネルギーは、できた磁気の光子の何倍のエネルギーか。
８×１０−１４Ｊ÷１０−５３＝８×１０３９倍です。
この事から、磁気の光子は自分のエネルギーの８×１０３９倍のエネルギーによって、１０１６個が集まって束になった。
電気の光子は自分のエネルギーの１０２４倍のエネルギーによって、１０８個が集まって束になった。
電気の光子ができた軌道は、０．９３７５×１０−１２ｍであり、磁気の光子のできた軌道は１．２５×１０−２８ｍである。
電気の光子ができた軌道は磁気の光子ができた軌道の何倍か。
０．９３７５×１０−１２ｍ÷（１．２５×１０−２８ｍ）＝７．５×１０１５倍です。
この事から、磁気の光子ができた軌道は、磁気の光子ができた軌道の７．５×１０１５分の１であるから、１０８倍もたくさん集まった。
【請求項１０】
電気の光子の軌道エネルギーと電気の光子の数。
電気の光子が回転する軌道のエネルギーを式により算出し、１０８個集まった８×１０−３０Ｊの電気の光子が何個分のエネルギーであるかを算出する。８×１０−３８Ｊの電気の光子が何個分のエネルギーであるかを算出する。
但し、軌道エネルギーは１秒間にできるエネルギーであるから、１秒間に回転する電気の光子の数である。
例えば、１０−１２ｍの軌道では、軌道エネルギーは、
１０−３３Ｊ・ｍ÷１０−１２ｍ＝１０−２１Ｊです。
１０−２１Ｊは８×１０−３０Ｊの電気の光子が何個分か。
１０−２１Ｊ÷（８×１０−３０Ｊ）＝１．２５×１０８個分です。
１０−２１Ｊは８×１０−３８Ｊの電気の光子が何個分か。
１０−２１Ｊ÷（８×１０−３８Ｊ）＝１．２５×１０１６個分です。
【請求項１１】
磁気の光子の軌道エネルギーと磁気の光子の数。
磁気の光子が回転する軌道のエネルギーを式により算出し、このエネルギーは１秒間に、１０１６個集まってできた１０−３７Ｊの磁気の光子が何個分のエネルギーであるかを算出する。１０−５３Ｊの磁気の光子が何個分のエネルギーであるかを算出する。
例えば、１０−１２ｍの軌道では、軌道エネルギーは、
１０−４１Ｊ・ｍ÷１０−１２ｍ＝１０−２９Ｊです。
１０−２９Ｊは１０−３７Ｊの磁気の光子が何個分か。
１０−２９Ｊ÷１０−３７Ｊ＝１０８個です。
１０−２９Ｊは１０−５３Ｊの磁気の光子が何個分か。
１０−２９Ｊ÷１０−５３Ｊ＝１０２４個分です。
【請求項１２】
電子のラブが外側の殻から内側の殻へ移動するとき光子が放出する。この光子はどのような光子か。
１個の、電子のラブは外側の軌道の光子を放出し、より小さなものとなって内側の殻へ移動します。
例えば、１０ｎｍの殻から１０ｎ−１ｍの殻へ移動する場合。
１０ｎｍの殻に居るとき、電子のラブの外側の光子は１０−１０ｍです。
この１０−１０ｍの光子を放出して、電子のラブは１０ｎ−１ｍの殻へ移動します。
放出した１０−１０ｍの軌道の光子は、
８×１０−３０Ｊの電気の光子が１０６個です。（８×１０−３８Ｊの電気の光子は１０１４個です。）
このエネルギーは、８×１０−３０Ｊ×１０６＝８×１０−２４Ｊです。
１０−３７Ｊの磁気の光子が１０６個です。（１０−５３Ｊの磁気の光子は１０２２個です。）
このエネルギーは、１０−３７Ｊ×１０６＝１０−３１Ｊです。
これは１秒間のエネルギーです。
１秒間に８×１０−３０Ｊの電気の光子が１０６個と、１０−３７Ｊの磁気の光子が１０６個放出します。
【請求項１３】
原子から放出した光子はどのようになるか。
原子から放出した電気の光子と磁気の光子は電磁波として放出する場合と、電気の光子１個と磁気の光子１個と別々に放出する場合がある。
強いエネルギーが放出する場合は束になって電磁波で放出し、弱いエネルギーで放出する場合は電気の光子１個と磁気の光子複数個で別々に放出する。
電気の光子は集まって放出する。磁気の光子は集まって放出する。
そして、しばらくすると、その集まった束は解散し、別々１個１個の光子に分散する。周囲の環境が分散させる。
電気の光子１個のエネルギーは８×１０−３８Ｊです。
磁気の光子１個のエネルギーは１０−５３Ｊです。磁気の光子が引力に成る。
【請求項１４】
１個の電気の光子の軌道エネルギーの式はどれ位か。
１０８個の電気の光子の軌道エネルギーの式は、１０−３３Ｊ・ｍ÷軌道又はエネルギー  ですから、
１個の電気の光子の軌道エネルギーの式は、
１０−３３Ｊ・ｍ÷１０８÷軌道又はエネルギー＝１０−４１Ｊ・ｍ÷軌道又はエネルギー  です。
【請求項１５】
１個の磁気の光子の軌道エネルギーの式はどれ位か。
１０１６個の磁気の光子の軌道エネルギーの式は、１０−４１Ｊ・ｍ÷軌道又はエネルギー  ですから、
１個の磁気の光子の軌道エネルギーの式は、
１０−４１Ｊ・ｍ÷１０１６÷軌道又はエネルギー＝１０−５７Ｊ・ｍ÷軌道又はエネルギー  です。
【請求項１６】
８×１０−３８Ｊの電気の光子の軌道と１０−５３Ｊの磁気の光子の軌道はどれ位か。
８×１０−３８Ｊの電気の光子の軌道は、
１０−４１Ｊ・ｍ÷（８×１０−３８Ｊ）＝１．２５×１０−４ｍです。
１０−５３Ｊの磁気の光子の軌道は、
１０−５７Ｊ・ｍ÷１０−５３Ｊ＝１０−４ｍです。
この波長は２×１０−４ｍで遠赤外線です。それで、地球は暖かい。
【請求項１７】
可視光の電気の光子１個のエネルギーはどれ位か。可視光の磁気の光子１個のエネルギーはどれ位か。
可視光の波長は約３×１０−７ｍから７×１０−７ｍです。軌道は１．５×１０−７ｍから３．５×１０−７ｍです。
１．５×１０−７ｍの電気の光子１個のエネルギーは、
１０−４１Ｊ・ｍ÷（１．５×１０−７ｍ）＝６．６７×１０−３５Ｊです。
これが１０８個では、６．６７×１０−２７Ｊです。
３×１０−７ｍの電気の光子１個のエネルギーは、
１０−４１Ｊ・ｍ÷（３．５×１０−７ｍ）＝２．８６×１０−３５Ｊです。
１０８個では、２．８６×１０−２７Ｊです。
１．５×１０−７ｍの磁気の光子のエネルギーは、
１０−５７Ｊ・ｍ÷（１．５×１０−７ｍ）＝６．６７×１０−５１Ｊです。
これが１０１６個では、６．６７×１０−３５Ｊです。
３．５×１０−７ｍの磁気の光子のエネルギーは、
１０−５７Ｊ・ｍ÷（３．５×１０−７ｍ）＝２．８６×１０−５１Ｊです。
これが１０１６個では、２．８６×１０−３５Ｊです。
【請求項１８】
太陽からやって来る磁気の光子１個のエネルギーは、地球の原子から放出する磁気の光子１個のエネルギーの何倍か。
太陽からやって来る可視光は、磁気の光子１個のエネルギーは、２．８６×１０−５１Ｊから６．６７×１０−５１Ｊです。
地球の原子から放出する磁気の光子１個のエネルギーは１０−５３Ｊです。
太陽からやって来て、可視光として届く磁気の光子のエネルギーは、地球の電子から放出する磁気の光子のエネルギーの、
２．８６×１０−５１Ｊ÷１０−５３Ｊ＝２８６倍から６６７倍です。
【請求項１９】
太陽から出発する磁気の光子１個のエネルギーは、地球の原子から放出する磁気の光子１個のエネルギーの何倍か。
光子のエネルギーは、５Ｋ＝５×１．１２×１０９ｍ走ると１／１０に成ります。このことについて、本発明者は特願２００４−２４７５７４に記しました。
太陽と地球の距離は約１．５×１０１１ｍですから、エネルギーは、
１．５×１０１１ｍ÷（５．６×１０９）×１０＝２．６８×１０２倍です。
地球に可視光としてたどり着きます。その磁気の光子１個のエネルギーは地球の原子から放出する磁気の光子１個のエネルギーの２８６倍から６６７倍ですから、
太陽から出発する磁気の光子１個のエネルギーは、地球の原子から放出する磁気の光子のエネルギーの、
２６８×２８６＝７６６４８倍です。
２６８×６６７＝１７８７５６倍です。
【請求項２０】
宇宙における電子のラブが１公転する事によってできる電気の光子１個のエネルギーと１０８個のエネルギー。電気の光子の軌道エネルギーの式はどのようであるか。
宇宙の軌道における電子のラブが１自転することによってできる磁気の光子１個のエネルギーと１０１６個の磁気の光子のエネルギー。磁気の光子の軌道エネルギーの式はどのようであるか。
地球と宇宙の軌道の距離をＡｍとします。
宇宙の軌道において、電子のラブが１公転する事によってできる電気の光子１個のエネルギーはどれだけか。
Ａｍ÷（５×１．１２×１０９ｍ）×１０×８×１０−３８Ｊ＝Ａ×１．４２９×１０−４６Ｊです。
１０８個の電気の光子のエネルギーはどれだけか。
Ａ×１．４２９×１０−４６Ｊ×１０８＝Ａ×１．４２９×１０−３８Ｊです。
電気の光子の軌道エネルギーの式は、
Ａｍ÷（５×１．１２×１０９ｍ）×１０×１０−３３Ｊ・ｍ÷軌道又はエネルギー＝Ａ×１．７８６×１０−４２Ｊ・ｍ÷軌道又はエネルギー  です。
宇宙の軌道において、電子のラブが１自転する事によってできる磁気の光子１個のエネルギーはどれだけか。
Ａｍ÷（５×１．１２×１０９ｍ）×１０×１０−５３Ｊ＝Ａ×１．７８６×１０−６２Ｊです。
１０１６個の磁気の光子のエネルギーは、
Ａ×１．７８６×１０−６２Ｊ×１０１６＝Ａ×１．７８６×１０−４６Ｊです。
磁気の光子の軌道エネルギーの式は、
Ａｍ÷（５×１．１２×１０９ｍ）×１０×１０−４１Ｊ・ｍ÷軌道又はエネルギー＝Ａ×１．７８６×１０−５０Ｊ・ｍ÷軌道又はエネルギー  です。
【発明の詳細な説明】
【技術分野】
【０００１】  この発明は、電子の軌道がどのようにでき、どのようになっているかに関する。
【背景技術】
【０００２】  電子の中はＸ線や特性Ｘ線が満ちている。しかし、このＸ線がどのようにしてできたのかは知られていない。
【本発明が解決しようとする課題】
【０００３】１．  磁気の光子が引力に成る原理。
２．  電子のラブは１公転して何個の電気の光子を作り、１個の電気の光子のエネルギーはいくらか。
３．  電子のラブは１自転してどれだけのエネルギーの磁気の光子を作るか。
４．  地球に存在する電気の光子１個のエネルギーは約８×１０−３８Ｊです。（但し、導線でできる電気の光子１個のエネルギーは８×１０−２２Ｊです。）
電気の光子はこの光子が集まってエネルギーを作っている。
５．  地球に存在する磁気の光子１個のエネルギーは１０−５３Ｊです。（但し、導線でできる磁気の光子１個のエネルギーは１．２５×１０−３７Ｊです。）
磁気の光子はこの磁気の光子が集まってエネルギーを作っている。
６．  電子のラブの軌道エネルギーの式と、電気の光子の軌道エネルギーの式と、磁気の光子の軌道エネルギーの式はどれだけか。
７．  電子のラブが１公転する事によって、８×１０−３８Ｊの電気の光子ができる公転軌道はいくらか。
８．  電子のラブが１自転することによって１０−５３Ｊの磁気の光子ができる自転軌道はいくらか。
９．  どうして電気の光子は１０８個集まるのか。どうして磁気の光子は１０１６個集まるのか。数について。物理的環境について。
１０．  電気の光子の軌道エネルギーと電気の光子の数。
１１．  磁気の光子の軌道エネルギーと磁気の光子の数。
１２．  電子のラブが外側の殻から内側の殻へ移動するとき光子が放出する。この光子はどのような光子か。
１３．  原子から放出した光子はどのようになるか。
１４．  １個の電気の光子の軌道エネルギーの式はどれ位か。
１５．  １個の磁気の光子の軌道エネルギーの式はどれ位か。
１６．  ８×１０−３８Ｊの電気の光子の軌道と１０−５３Ｊの磁気の光子の軌道はどれ位か。
１７．  可視光の電気の光子１個のエネルギーはどれ位か。可視光の磁気の光子１個のエネルギーはどれ位か。
１８．  太陽からやって来る磁気の光子１個のエネルギーは、地球の原子から放出する磁気の光子１個のエネルギーの何倍か。
１９．  太陽から出発する磁気の光子１個のエネルギーは、地球の原子から放出する磁気の光子１個のエネルギーの何倍か。
２０．  宇宙における電子のラブが１公転する事によってできる電気の光子１個のエネルギーと１０８個のエネルギー。電気の光子の軌道エネルギーの式はどのようであるか。
【課題を解決するための手段】
【０００４】    本発明者は２００５年１月２５日提出した特許願において、電子のラブが１公転する事によって、８×１０−３８Ｊの電気の光子を作り、電子のラブが１自転することによって１０−５３Ｊの磁気の光子ができることを理解した。
それで、地球に存在する電気の光子１個のエネルギーは８×１０−３８Ｊです。
磁気の光子１個のエネルギーは１０−５３Ｊです。
Ｘ線や紫外線や可視光線や赤外線はこれらの電気の光子や磁気の光子が集まったものです。
それでは、電子の中の軌道はどのようになっているのでしょうか。
電子のラブは１公転することによって１０８個の電気の光子ができるので、この光子は１つの集団と成る。この集団のエネルギーは８×１０−３８Ｊ×１０８＝８×１０−３０Ｊです。
電子のラブが１公転し、８×１０−３８Ｊの電気の光子を作る軌道は、
０．７５×１０−２５Ｊ・ｍ÷（８×１０−１４Ｊ）＝０．９３×１０−１２ｍです。約１０−１２ｍです。
電気の光子の１０−１２ｍの軌道エネルギーは、
１０−３３Ｊ・ｍ÷１０−１２ｍ＝１０−２１Ｊです。
それで、１０−１２ｍの軌道には、８×１０３０Ｊの電気の光子が、
１０−２１Ｊ÷（８×１０−３０Ｊ）＝１．２５×１０８個回転しています。
磁気の光子は１０１６個集まって１つの磁気の光子になっています。
磁気の光子が１０１６個集まったエネルギーは、１０−５３Ｊ×１０１６個＝１０−３７Ｊの磁気の光子になります。
磁気の光子の１０−１２ｍの軌道エネルギーは、
１０−４１Ｊ・ｍ÷１０−１２ｍ＝１０−２９Ｊです。
それで、１０−１２ｍの軌道には、１０−３７Ｊの磁気の光子が、
１０−２９Ｊ÷１０−３７Ｊ＝１０８個クロス回転しています。
このように、軌道に於ける光子の数を知る事ができます。
【発明の実施態様】
【０００５】１．  磁気の光子が引力に成る原理。（図１）
磁気の光子は重なり合って、電子のラブの公転をクロス回転するものであるから引力になる。
引くためには結ぶものが必要です。その結ぶものが磁気の光子です。
磁気の光子は結ぶ輪です。原子と原子を結ぶ輪です。
磁気の光子は電子のラブの軌道に入り込み、電子のラブと電子のラブをダブルクロス回転する。これがミクロの結合である。
地球は地球の原子から放出する１０−５３Ｊの磁気の光子が満ちている。
結ぶ輪が多いほど結ぶ力は大きい。
その結ぶ輪に物質の電子のラブは結び付けられている。それが地球の引力である。
２．  電子のラブは１公転して何個の電気の光子を作り、１個の電気の光子のエネルギーはいくらか。
２００５年１月２５日提出の特許願の
【請求項３】
の３１から、
１秒間にできる電気の光子のエネルギーの式はどのようであるか。
１秒間にできる電気の光子のエネルギー＝電子のラブの１秒間の公転数×１０８×電気の光子１個のエネルギー。
電子のラブの１秒間の公転数は１０１６回です。１回公転すると１０８個の電気の光子ができる。
電気の光子１個のエネルギーは８×１０−３８Ｊです。
１秒間にできる電気の光子のエネルギー＝１０１６×１０８×８×１０−３８Ｊ＝８×１０−１４Ｊ。
この事によって、電子のラブは１公転して１０８個の電気の光子を作り、１個の電気の光子のエネルギーは８×１０−３８Ｊです。
３．  電子のラブは１自転してどれだけのエネルギーの磁気の光子を作るか。
２００５年１月２５日提出の特許願の
【請求項３】
の３２から、
１秒間にできる磁気の光子のエネルギー＝電子のラブの１秒間の自転数×磁気の光子１個のエネルギー。
電子の電子のラブの自転数は１０３２回で、磁気の光子１個のエネルギーは１０−５３Ｊですから、
１秒間にできる磁気の光子のエネルギーは、
１０３２回×１０−５３Ｊ＝１０−２１Ｊです。
この事によって、電子のラブは１自転して１０−５３Ｊの磁気の光子を作る。
４．  地球に存在する電気の光子１個のエネルギーは約８×１０−３８Ｊです。（但し、導線でできる電気の光子１個のエネルギーは８×１０−２２Ｊです。）
電気の光子はこの光子が集まってエネルギーを作っている。
例えば、１０−３０Ｊの電気の光子のエネルギーは、８×１０−３８Ｊの電気の光子が、
１０−３０Ｊ÷（８×１０−３８Ｊ）＝１．２５×１０７個集まったものです。
例えば、８×１０−３０Ｊの電気の光子は、８×１０−３８Ｊの光子が１０８個集まったものです。
５．  地球に存在する磁気の光子１個のエネルギーは１０−５３Ｊです。（但し、導線でできる磁気の光子１個のエネルギーは１．２５×１０−３７Ｊです。）
磁気の光子はこの磁気の光子が集まってエネルギーを作っている。
例えば、１０−３５Ｊの磁気の光子は、１０−５３Ｊの磁気の光子が、
１０−３５Ｊ÷１０−５３Ｊ＝１０１８個集まったものです。
例えば、１０−３７Ｊの磁気の光子は、１０−５３Ｊの磁気の光子が１０１６個集まったものです。
６．  電子のラブの軌道エネルギーの式と、電気の光子の軌道エネルギーの式と、磁気の光子の軌道エネルギーの式はどれだけか。
電子のラブの軌道エネルギーの式は、
０．７５×１０−２５Ｊ・ｍ÷軌道又はエネルギー  です。
電子のラブはこの軌道を１公転し８×１０−３８Ｊの磁気の光子を作る。
１公転し１０８の磁気の光子ができる。それで、１公転し、全部で８×１０−３０Ｊの電気の光子ができる。
電子のラブは１自転し、１０−５３Ｊの磁気の光子を作る。
磁気の光子は１０１６個束になって１０−３７Ｊの磁気の光子になる。
電気の光子の軌道エネルギーの式は、
１０−３３Ｊ・ｍ÷軌道又はエネルギー  です。
この軌道には８×１０−３８Ｊの電気の光子が１０８個集まった８×１０３０Ｊの電気の光子が回転している。
磁気の光子の軌道エネルギーの式は、
１０−４１Ｊ・ｍ÷軌道又はエネルギー  です。
この軌道には１０−５３Ｊの磁気の光子が１０１６個集まった１０−３７Ｊの磁気の光子がクロス回転している。
７．  電子のラブが１公転する事によって、８×１０−３８Ｊの電気の光子ができる公転軌道はいくらか。
この軌道は電子のラブの質量エネルギーとみなされている８×１０−１４Ｊが１秒間に電機のエネルギーになる軌道であるから、その軌道は、
０．７５×１０−２５Ｊ÷（８×１０−１４Ｊ）＝０．９３７５×１０−１２ｍです。
８．  電子のラブが１自転することによって１０−５３Ｊの磁気の光子ができる自転軌道はいくらか。
自転の軌道は、
１０−４１Ｊ・ｍ÷（８×１０−１４Ｊ）＝１．２５×１０−２８ｍです。
９．  どうして電気の光子は１０８個集まるのか。どうして磁気の光子は１０１６個集まるのか。
数について。物理的環境について。
数について。
電気の光子が１０８個集まるのは、電子のラブが１公転し１０８個の電気の光子を作るからです。
磁気の光子が１０１６個集まるのは、電子のラブが１公転する間に１０１６回自転するからです。
１秒間に電子のラブは１０２４回公転し、１０３２回自転するからです。
物理的環境について。
電子のラブの軌道のエネルギーは、できた電気の光子の何倍のエネルギーであるか。
電気の光子ができた軌道のエネルギーは、
０．７５×１０−２５Ｊ・ｍ÷（０．９３７５×１０−１２ｍ）＝８×１０−１４Ｊです。
このエネルギーは、できた電気の光子の何倍のエネルギーか。
８×１０−１４Ｊ÷（８×１０−３８Ｊ）＝１０２４倍です。
磁気の光子ができた軌道のエネルギーは、できた磁気の光子の何倍のエネルギーか。
８×１０−１４Ｊ÷１０−５３＝８×１０３９倍です。
この事から、磁気の光子は自分のエネルギーの８×１０３９倍のエネルギーによって、１０１６個が集まって束になった。
電気の光子は自分のエネルギーの１０２４倍のエネルギーによって、１０８個が集まって束になった。
電気の光子ができた軌道は、０．９３７５×１０−１２ｍであり、磁気の光子のできた軌道は１．２５×１０−２８ｍである。
電気の光子ができた軌道は磁気の光子ができた軌道の何倍か。
０．９３７５×１０−１２ｍ÷（１．２５×１０−２８ｍ）＝７．５×１０１５倍です。
この事から、磁気の光子ができた軌道は、磁気の光子ができた軌道の７．５×１０１５分の１であるから、１０８倍もたくさん集まった。
１０．  電気の光子の軌道エネルギーと電気の光子の数。（図３）
電気の光子が回転する軌道のエネルギーを式により算出し、１０８個集まった８×１０−３０Ｊの電気の光子が何個分のエネルギーであるかを算出する。８×１０−３８Ｊの電気の光子が何個分のエネルギーであるかを算出する。
但し、軌道エネルギーは１秒間にできるエネルギーであるから、１秒間に回転する電気の光子の数である。
例えば、１０−１２ｍの軌道では、軌道エネルギーは、
１０−３３Ｊ・ｍ÷１０−１２ｍ＝１０−２１Ｊです。
１０−２１Ｊは８×１０−３０Ｊの電気の光子が何個分か。
１０−２１Ｊ÷（８×１０−３０Ｊ）＝１．２５×１０８個分です。
１０−２１Ｊは８×１０−３８Ｊの電気の光子が何個分か。
１０−２１Ｊ÷（８×１０−３８Ｊ）＝１．２５×１０１６個分です。
2005269892.tif 000003
2005269892.tif 000004
１１．  磁気の光子の軌道エネルギーと磁気の光子の数。
磁気の光子が回転する軌道のエネルギーを式により算出し、このエネルギーは１秒間に、１０１６個集まってできた１０−３７Ｊの磁気の光子が何個分のエネルギーであるかを算出する。１０−５３Ｊの磁気の光子が何個分のエネルギーであるかを算出する。
例えば、１０−１２ｍの軌道では、軌道エネルギーは、
１０−４１Ｊ・ｍ÷１０−１２ｍ＝１０−２９Ｊです。
１０−２９Ｊは１０−３７Ｊの磁気の光子が何個分か。
１０−２９Ｊ÷１０−３７Ｊ＝１０８個です。
１０−２９Ｊは１０−５３Ｊの磁気の光子が何個分か。
１０−２９Ｊ÷１０−５３Ｊ＝１０２４個分です。
2005269892.tif 000005
１２．  電子のラブが外側の殻から内側の殻へ移動するとき光子が放出する。この光子はどのような光子か。（図４）
１個の、電子のラブは外側の軌道の光子を放出し、より小さなものとなって内側の殻へ移動します。
例えば、１０ｎｍの殻から１０ｎ−１ｍの殻へ移動する場合。
１０ｎｍの殻に居るとき、電子のラブの外側の光子は１０−１０ｍです。
この１０−１０ｍの光子を放出して、電子のラブは１０ｎ−１ｍの殻へ移動します。
放出した１０−１０ｍの軌道の光子は、
８×１０−３０Ｊの電気の光子が１０６個です。（８×１０−３８Ｊの電気の光子は１０１４個です。）
このエネルギーは、８×１０−３０Ｊ×１０６＝８×１０−２４Ｊです。
１０−３７Ｊの磁気の光子が１０６個です。（１０−５３Ｊの磁気の光子は１０２２個です。）
このエネルギーは、１０−３７Ｊ×１０６＝１０−３１Ｊです。
これは１秒間のエネルギーです。
１秒間に８×１０−３０Ｊの電気の光子が１０６個と、１０−３７Ｊの磁気の光子が１０６個放出します。
１３．  原子から放出した光子はどのようになるか。
原子から放出した電気の光子と磁気の光子は集まって束になって電磁波として放出する場合と、電気の光子と磁気の光子と別々に放出する場合がある。
強いエネルギーが放出する場合は束になって電磁波として放出し、弱いエネルギーで放出する場合は電気の光子１個と磁気の光子複数個で別々に放出する。
電気の光子は集まって放出する。磁気の光子は集まって放出する。
そして、しばらくすると、その集まった束は解散し、別々１個１個の光子に分散する。周囲の環境が分散させる。
電気の光子１個のエネルギーは８×１０−３８Ｊです。
磁気の光子１個のエネルギーは１０−５３Ｊです。磁気の光子が引力に成る。
１４．  １個の電気の光子の軌道エネルギーの式はどれ位か。
１０８個の電気の光子の軌道エネルギーの式は、１０−３３Ｊ・ｍ÷軌道又はエネルギー  ですから、
１個の電気の光子の軌道エネルギーの式は、
１０−３３Ｊ・ｍ÷１０８÷軌道又はエネルギー＝１０−４１Ｊ・ｍ÷軌道又はエネルギー  です。
１５．  １個の磁気の光子の軌道エネルギーの式はどれ位か。
１０１６個の磁気の光子の軌道エネルギーの式は、１０−４１Ｊ・ｍ÷軌道又はエネルギー  ですから、
１個の磁気の光子の軌道エネルギーの式は、
１０−４１Ｊ・ｍ÷１０１６÷軌道又はエネルギー＝１０−５７Ｊ・ｍ÷軌道又はエネルギー  です。
１６．  ８×１０−３８Ｊの電気の光子の軌道と１０−５３Ｊの磁気の光子の軌道はどれ位か。
８×１０−３８Ｊの電気の光子の軌道は、
１０−４１Ｊ・ｍ÷（８×１０−３８Ｊ）＝１．２５×１０−４ｍです。
１０−５３Ｊの磁気の光子の軌道は、
１０−５７Ｊ・ｍ÷１０−５３Ｊ＝１０−４ｍです。
この波長は２×１０−４ｍで遠赤外線です。それで地球は暖かい。
１７．  可視光の電気の光子１個のエネルギーはどれ位か。可視光の磁気の光子１個のエネルギーはどれ位か。
可視光の波長は約３×１０−７ｍから７×１０−７ｍです。軌道は１．５×１０−７ｍから３．５×１０−７ｍです。
１．５×１０−７ｍの電気の光子１個のエネルギーは、
１０−４１Ｊ・ｍ÷（１．５×１０−７ｍ）＝６．６７×１０−３５Ｊです。
これが１０８個では、６．６７×１０−２７Ｊです。
３．５×１０−７ｍの電気の光子１個のエネルギーは、
１０−４１Ｊ・ｍ÷（３．５×１０−７ｍ）＝２．８６×１０−３５Ｊです。
１０８個では、２．８６×１０−２７Ｊです。
１．５×１０−７ｍの磁気の光子のエネルギーは、
１０−５７Ｊ・ｍ÷（１．５×１０−７ｍ）＝６．６７×１０−５１Ｊです。
これが１０１６個では、６．６７×１０−３５Ｊです。
３．５×１０−７ｍの磁気の光子のエネルギーは、
１０−５７Ｊ・ｍ÷（３．５×１０−７ｍ）＝２．８６×１０−５１Ｊです。
これが１０１６個では、２．８６×１０−３５Ｊです。
１８．  太陽からやって来る磁気の光子１個のエネルギーは、地球の原子から放出する磁気の光子１個のエネルギーの何倍か。
太陽からやって来る可視光は、磁気の光子１個のエネルギーは、２．８６×１０−５１Ｊから６．６７×１０−５１Ｊです。
地球の原子から放出する磁気の光子１個のエネルギーは１０−５３Ｊです。
太陽からやって来て、可視光として届く磁気の光子のエネルギーは、地球の電子から放出する磁気の光子のエネルギーの、
２．８６×１０−５１Ｊ÷１０−５３Ｊ＝２８６倍から６６７倍です。
１９．  太陽から出発する磁気の光子１個のエネルギーは、地球の原子から放出する磁気の光子１個のエネルギーの何倍か。
光子のエネルギーは、５Ｋ＝５×１．１２×１０９ｍ走ると１／１０に成ります。このことについて、本発明者は特願２００４−２４７５７４に記しました。
太陽と地球の距離は約１．５×１０１１ｍですから、エネルギーは、
１．５×１０１１ｍ÷（５．６×１０９）×１０＝２．６８×１０２倍です。
地球に可視光としてたどり着きます。その磁気の光子１個のエネルギーは地球の原子から放出する磁気の光子１個のエネルギーの２８６倍から６６７倍ですから、
太陽から出発する磁気の光子１個のエネルギーは、地球の原子から放出する磁気の光子のエネルギーの、
２６８×２８６＝７６６４８倍です。
２６８×６６７＝１７８７５６倍です。
２０．  宇宙における電子のラブが１公転する事によってできる電気の光子１個のエネルギーと１０８個のエネルギー。電気の光子の軌道エネルギーの式はどのようであるか。
宇宙の軌道における電子のラブが１自転することによってできる磁気の光子１個のエネルギーと１０１６個の磁気の光子のエネルギー。磁気の光子の軌道エネルギーの式はどのようであるか。
地球と宇宙の軌道の距離をＡｍとします。
宇宙の軌道において、電子のラブが１公転する事によってできる電気の光子１個のエネルギーはどれだけか。
Ａｍ÷（５×１．１２×１０９ｍ）×１０×８×１０−３８Ｊ＝Ａ×１．４２９×１０−４６Ｊです。
１０８個の電気の光子のエネルギーはどれだけか。
Ａ×１．４２９×１０−４６Ｊ×１０８＝Ａ×１．４２９×１０−３８Ｊです。
電気の光子の軌道エネルギーの式は、
Ａｍ÷（５×１．１２×１０９ｍ）×１０×１０−３３Ｊ・ｍ÷軌道又はエネルギー＝Ａ×１．７８６×１０−４２Ｊ・ｍ÷軌道又はエネルギー  です。
宇宙の軌道において、電子のラブが１自転する事によってできる磁気の光子１個のエネルギーはどれだけか。
Ａｍ÷（５×１．１２×１０９ｍ）×１０×１０−５３Ｊ＝Ａ×１．７８６×１０−６２Ｊです。
１０１６個の磁気の光子のエネルギーは、
Ａ×１．７８６×１０−６２Ｊ×１０１６＝Ａ×１．７８６×１０−４６Ｊです。
磁気の光子の軌道エネルギーの式は、
Ａｍ÷（５×１．１２×１０９ｍ）×１０×１０−４１Ｊ・ｍ÷軌道又はエネルギー＝Ａ×１．７８６×１０−５０Ｊ・ｍ÷軌道又はエネルギー  です。
【発明の効果】
【０００６】  この発明によって、電子のラブが１公転する事によって１０８個の電子の光子ができ、電気の光子１個のエネルギーは８×１０−３８Ｊである事が理解できた。
そして、電子のラブの軌道でできた電気の光子はその場の環境で１０８個集まって電気の光子の軌道を回転することが理解できた。
電子のラブが１自転することによって１０−５３Ｊの磁気の光子ができる事が解った。この光子が１０１６個集まって磁気の光子の軌道をクロス回転していることが理解できた。
原子の外に出ると、周囲の環境に影響され、電気の光子も磁気の光子も１個の光子になることが理解できた。
電気の光子は８×１０−３９Ｊの電気の光子が集まって、高エネルギーの電気の光子に成っている。
それで、高エネルギーの電気の光子が崩壊すると、８×１０−３９Ｊの電気の光子になる。
この電気の光子の波長は、２×１０−４ｍで遠赤外線の軌道であるので暖かいと理解できた。
磁気の光子は１０−５３Ｊの磁気の光子が集まって、高エネルギーの磁気の光子に成っている。
それで、高エネルギーの磁気の光子が崩壊すると、１０−５３Ｊの磁気の光子になる。
この磁気の光子が引力に成っていることが理解できた。
【図面の簡単な説明】
【図１】  磁気の光子が引力になる理由は  磁気の光子は電子のラブと電子のラブを結ぶ輪であるからです。輪が多いほど引力は強い。
【図２】  電子のラブが１公転することによって、８×１０−３８Ｊの磁気の光子が１０８個できる。公転軌道は０．９３７５×１０−１２ｍです。電子のラブは１自転することによって、１０−５３Ｊの磁気の光子を１個作る。自転軌道は１．２５×１０−２８ｍです。電子のラブは１公転する間に、１０１６回自転し、１０−５３Ｊの磁気の光子を１０１６個作る。これらの光子が集まって、軌道を回転する。
【図４】  電気の光子の軌道に於いて、１０−１２ｍでは８×１０−３０Ｊの電気の光子が１０８個、１０−１１ｍでは１０７個、１０−１０ｍでは１０６個、１０−９ｍでは１０５個、１０−８ｍでは１０４個回転している。磁気の光子の軌道に於いて、１０−１２ｍでは１０−３７Ｊの磁気の光子が１０８個、１０−１１ｍでは１０７個、１０−１０ｍでは１０６個、１０−９ｍでは１０５個、１０−８ｍでは１０４個クロス回転している。
【図４】  電子のラブが内側の殻に移動するとき、外側の光子を放出する。例えば、１０−１０ｍの光子を放出する場合、８×１０−３０Ｊの電気の光子を１０６個と、１０−３７Ｊの磁気の光子を１０６個放出する。
【符号の説明】
１  電子のラブ    ２  磁気の光子    ３  １０８個の電気の光子
４  １０１６個の磁気の光子    ５  電気の光子の軌道    ６  磁気の光子の軌道
７  内側の殻    ８  外側の殻    ９  電子のラブの外側の光子（軌道は１０−１０ｍ）
１０  放出した１０−１０ｍの軌道の電気の光子
１１  放出した１０−１０ｍの軌道の磁気の光子
【図１】
2005269892.tif 000006
【図２】
2005269892.tif 000007
【図３】
2005269892.tif 000008
【図４】
2005269892.tif 000009
【手続補正書】
【提出日】平成17年4月11日(2005.4.11)
【手続補正１】
【補正対象書類名】特許請求の範囲
【補正対象項目名】全文
【補正方法】変更
【補正の内容】
【特許請求の範囲】
【請求項１】
磁気の光子が引力に成る原理。
磁気の光子は重なり合って、電子のラブの公転をクロス回転するものであるから引力になる。
引くためには結ぶものが必要です。その結ぶものが磁気の光子です。
磁気の光子は結ぶ輪です。原子と原子を結ぶ輪です。
磁気の光子は電子のラブの軌道に入り込み、電子のラブと電子のラブをダブルクロス回転する。これがミクロの結合である。
地球は地球の原子から放出する１０−５３Ｊの磁気の光子が満ちている。
結ぶ輪が多いほど結ぶ力は大きい。
その結ぶ輪に物質の電子のラブは結び付けられている。それが地球の引力である。
【請求項２】
電子のラブは１公転して何個の電気の光子を作り、１個の電気の光子のエネルギーはいくらか。
２００５年１月２５日提出の特許願の「請求項３」の３１から、
１秒間にできる電気の光子のエネルギーの式はどのようであるか。
１秒間にできる電気の光子のエネルギー＝電子のラブの１秒間の公転数×１０８×電気の光子１個のエネルギー。
電子のラブの１秒間の公転数は１０１６回です。１回公転すると１０８個の電気の光子ができる。
電気の光子１個のエネルギーは８×１０−３８Ｊです。
１秒間にできる電気の光子のエネルギー＝１０１６×１０８×８×１０−３８Ｊ＝８×１０−１４Ｊ。
この事によって、電子のラブは１公転して１０８個の電気の光子を作り、１個の電気の光子のエネルギーは８×１０−３８Ｊです。
【請求項３】
電子のラブは１自転してどれだけのエネルギーの磁気の光子を作るか。
２００５年１月２５日提出の特許願の「請求項３」の３２から、
１秒間にできる磁気の光子のエネルギー＝電子のラブの１秒間の自転数×磁気の光子１個のエネルギー。
電子の電子のラブの自転数は１０３２回で、磁気の光子１個のエネルギーは１０−５３Ｊですから、１秒間にできる磁気の光子のエネルギーは、
１０３２回×１０−５３Ｊ＝１０−２１Ｊです。
この事によって、電子のラブは１自転して１０−５３Ｊの磁気の光子を作る。
【請求項４】
地球に存在する電気の光子１個のエネルギーは約８×１０−３８Ｊです。（但し、導線でできる電気の光子１個のエネルギーは８×１０−２２Ｊです。）
電気の光子はこの光子が集まってエネルギーを作っている。
例えば、１０−３０Ｊの電気の光子のエネルギーは、８×１０−３８Ｊの電気の光子が、
１０−３０Ｊ÷（８×１０−３８Ｊ）＝１．２５×１０７個集まったものです。
例えば、８×１０−３０Ｊの電気の光子は、８×１０−３８Ｊの光子が１０８個集まったものです。
【請求項５】
地球に存在する磁気の光子１個のエネルギーは１０−５３Ｊです。（但し、導線でできる磁気の光子１個のエネルギーは１．２５×１０−３７Ｊです。）
磁気の光子はこの磁気の光子が集まってエネルギーを作っている。
例えば、１０−３５Ｊの磁気の光子は、１０−５３Ｊの磁気の光子が、
１０−３５Ｊ÷１０−５３Ｊ＝１０１８個集まったものです。
例えば、１０−３７Ｊの磁気の光子は、１０−５３Ｊの磁気の光子が１０１６個集まったものです。
【請求項６】
電子のラブの軌道エネルギーの式と、電気の光子の軌道エネルギーの式と、磁気の光子の軌道エネルギーの式はどれだけか。
電子のラブの軌道エネルギーの式は、
０．７５×１０−２５Ｊ・ｍ÷軌道又はエネルギー  です。
電子のラブはこの軌道を１公転し８×１０−３８Ｊの磁気の光子を作る。
１公転し１０８の磁気の光子ができる。それで、１公転し、全部で８×１０−３０Ｊの電気の光子ができる。
電子のラブは１自転し、１０−５３Ｊの磁気の光子を作る。
磁気の光子は１０１６個束になって１０−３７Ｊの磁気の光子になる。
電気の光子の軌道エネルギーの式は、
１０−３３Ｊ・ｍ÷軌道又はエネルギー  です。
この軌道には８×１０−３８Ｊの電気の光子が１０８個集まった８×１０３０Ｊの電気の光子が回転している。
磁気の光子の軌道エネルギーの式は、
１０−４１Ｊ・ｍ÷軌道又はエネルギー  です。
この軌道には１０−５３Ｊの磁気の光子が１０１６個集まった１０−３７Ｊの磁気の光子がクロス回転している。
【請求項７】
電子のラブが１公転する事によって、８×１０−３８Ｊの電気の光子ができる公転軌道はいくらか。
この軌道は電子のラブの質量エネルギーとみなされている８×１０−１４Ｊが１秒間に電機のエネルギーになる軌道であるから、その軌道は、
０．７５×１０−２５Ｊ÷（８×１０−１４Ｊ）＝０．９３７５×１０−１２ｍです。
【請求項８】
電子のラブが１自転することによって１０−５３Ｊの磁気の光子ができる自転軌道はいくらか。
自転の軌道は、
１０−４１Ｊ・ｍ÷（８×１０−１４Ｊ）＝１．２５×１０−２８ｍです。
【請求項９】
どうして電気の光子は１０８個集まるのか。どうして磁気の光子は１０１６個集まるのか。数について。物理的環境について。
数について。
電気の光子が１０８個集まるのは、電子のラブが１公転し１０８個の電気の光子を作るからです。
磁気の光子が１０１６個集まるのは、電子のラブが１公転する間に１０１６回自転するからです。
１秒間に電子のラブは１０２４回公転し、１０３２回自転するからです。
物理的環境について。
電子のラブの軌道のエネルギーは、できた電気の光子の何倍のエネルギーであるか。
電気の光子ができた軌道のエネルギーは、
０．７５×１０−２５Ｊ・ｍ÷（０．９３７５×１０−１２ｍ）＝８×１０−１４Ｊです。
このエネルギーは、できた電気の光子の何倍のエネルギーか。
８×１０−１４Ｊ÷（８×１０−３８Ｊ）＝１０２４倍です。
磁気の光子ができた軌道のエネルギーは、できた磁気の光子の何倍のエネルギーか。
８×１０−１４Ｊ÷１０−５３＝８×１０３９倍です。
この事から、磁気の光子は自分のエネルギーの８×１０３９倍のエネルギーによって、１０１６個が集まって束になった。
電気の光子は自分のエネルギーの１０２４倍のエネルギーによって、１０８個が集まって束になった。
電気の光子ができた軌道は、０．９３７５×１０−１２ｍであり、磁気の光子のできた軌道は１．２５×１０−２８ｍである。
電気の光子ができた軌道は磁気の光子ができた軌道の何倍か。
０．９３７５×１０−１２ｍ÷（１．２５×１０−２８ｍ）＝７．５×１０１５倍です。
この事から、磁気の光子ができた軌道は、磁気の光子ができた軌道の７．５×１０１５分の１であるから、１０８倍もたくさん集まった。
【請求項１０】
電気の光子の軌道エネルギーと電気の光子の数。
電気の光子が回転する軌道のエネルギーを式により算出し、１０８個集まった８×１０−３０Ｊの電気の光子が何個分のエネルギーであるかを算出する。８×１０−３８Ｊの電気の光子が何個分のエネルギーであるかを算出する。
但し、軌道エネルギーは１秒間にできるエネルギーであるから、１秒間に回転する電気の光子の数である。
例えば、１０−１２ｍの軌道では、軌道エネルギーは、
１０−３３Ｊ・ｍ÷１０−１２ｍ＝１０−２１Ｊです。
１０−２１Ｊは８×１０−３０Ｊの電気の光子が何個分か。
１０−２１Ｊ÷（８×１０−３０Ｊ）＝１．２５×１０８個分です。
１０−２１Ｊは８×１０−３８Ｊの電気の光子が何個分か。
１０−２１Ｊ÷（８×１０−３８Ｊ）＝１．２５×１０１６個分です。
【請求項１１】
磁気の光子の軌道エネルギーと磁気の光子の数。
磁気の光子が回転する軌道のエネルギーを式により算出し、このエネルギーは１秒間に、１０１６個集まってできた１０−３７Ｊの磁気の光子が何個分のエネルギーであるかを算出する。１０−５３Ｊの磁気の光子が何個分のエネルギーであるかを算出する。
例えば、１０−１２ｍの軌道では、軌道エネルギーは、
１０−４１Ｊ・ｍ÷１０−１２ｍ＝１０−２９Ｊです。
１０−２９Ｊは１０−３７Ｊの磁気の光子が何個分か。
１０−２９Ｊ÷１０−３７Ｊ＝１０８個です。
１０−２９Ｊは１０−５３Ｊの磁気の光子が何個分か。
１０−２９Ｊ÷１０−５３Ｊ＝１０２４個分です。
【請求項１２】
電子のラブが外側の殻から内側の殻へ移動するとき光子が放出する。この光子はどのような光子か。
１個の、電子のラブは外側の軌道の光子を放出し、より小さなものとなって内側の殻へ移動します。
例えば、１０ｎｍの殻から１０ｎ−１ｍの殻へ移動する場合。
１０ｎｍの殻に居るとき、電子のラブの外側の光子は１０−１０ｍです。
この１０−１０ｍの光子を放出して、電子のラブは１０ｎ−１ｍの殻へ移動します。
放出した１０−１０ｍの軌道の光子は、
８×１０−３０Ｊの電気の光子が１０６個です。（８×１０−３８Ｊの電気の光子は１０１４個です。）
このエネルギーは、８×１０−３０Ｊ×１０６＝８×１０−２４Ｊです。
１０−３７Ｊの磁気の光子が１０６個です。（１０−５３Ｊの磁気の光子は１０２２個です。）
このエネルギーは、１０−３７Ｊ×１０６＝１０−３１Ｊです。
これは１秒間のエネルギーです。
１秒間に８×１０−３０Ｊの電気の光子が１０６個と、１０−３７Ｊの磁気の光子が１０６個放出します。
【請求項１３】
原子から放出した光子はどのようになるか。
原子から放出した電気の光子と磁気の光子は電磁波として放出する場合と、電気の光子１個と磁気の光子１個と別々に放出する場合がある。
強いエネルギーが放出する場合は束になって電磁波として放出し、弱いエネルギーで放出する場合は電気の光子１個と磁気の光子複数個で別々に放出する。
電気の光子は集まって放出する。磁気の光子は集まって放出する。
そして、しばらくすると、その集まった束は解散し、別々１個１個の光子に分散する。周囲の環境が分散させる。
電気の光子１個のエネルギーは８×１０−３８Ｊです。
磁気の光子１個のエネルギーは１０−５３Ｊです。磁気の光子が引力に成る。
【請求項１４】
１個の電気の光子の軌道エネルギーの式はどれ位か。
１０８個の電気の光子の軌道エネルギーの式は、１０−３３Ｊ・ｍ÷軌道又はエネルギー  ですから、
１個の電気の光子の軌道エネルギーの式は、
１０−３３Ｊ・ｍ÷１０８÷軌道又はエネルギー＝１０−４１Ｊ・ｍ÷軌道又はエネルギー  です。
【請求項１５】
１個の磁気の光子の軌道エネルギーの式はどれ位か。
１０１６個の磁気の光子の軌道エネルギーの式は、１０−４１Ｊ・ｍ÷軌道又はエネルギー  ですから、
１個の磁気の光子の軌道エネルギーの式は、
１０−４１Ｊ・ｍ÷１０１６÷軌道又はエネルギー＝１０−５７Ｊ・ｍ÷軌道又はエネルギー  です。
【請求項１６】
８×１０−３８Ｊの電気の光子の軌道と１０−５３Ｊの磁気の光子の軌道はどれ位か。
８×１０−３８Ｊの電気の光子の軌道は、
１０−４１Ｊ・ｍ÷（８×１０−３８Ｊ）＝１．２５×１０−４ｍです。
１０−５３Ｊの磁気の光子の軌道は、
１０−５７Ｊ・ｍ÷１０−５３Ｊ＝１０−４ｍです。
この波長は２×１０−４ｍで遠赤外線です。それで地球は暖かい。
【請求項１７】
可視光の電気の光子１個のエネルギーはどれ位か。可視光の磁気の光子１個のエネルギーはどれ位か。
可視光の波長は約３×１０−７ｍから７×１０−７ｍです。軌道は１．５×１０−７ｍから３．５×１０−７ｍです。
１．５×１０−７ｍの電気の光子１個のエネルギーは、
１０−４１Ｊ・ｍ÷（１．５×１０−７ｍ）＝６．６７×１０−３５Ｊです。
これが１０８個では、６．６７×１０−２７Ｊです。
３．５×１０−７ｍの電気の光子１個のエネルギーは、
１０−４１Ｊ・ｍ÷（３．５×１０−７ｍ）＝２．８６×１０−３５Ｊです。
１０８個では、２．８６×１０−２７Ｊです。
１．５×１０−７ｍの磁気の光子のエネルギーは、
１０−５７Ｊ・ｍ÷（１．５×１０−７ｍ）＝６．６７×１０−５１Ｊです。
これが１０１６個では、６．６７×１０−３５Ｊです。
３．５×１０−７ｍの磁気の光子のエネルギーは、
１０−５７Ｊ・ｍ÷（３．５×１０−７ｍ）＝２．８６×１０−５１Ｊです。
これが１０１６個では、２．８６×１０−３５Ｊです。
【請求項１８】
太陽からやって来る磁気の光子１個のエネルギーは、地球の原子から放出する磁気の光子１個のエネルギーの何倍か。
太陽からやって来る可視光は、磁気の光子１個のエネルギーは、２．８６×１０−５１Ｊから６．６７×１０−５１Ｊです。
地球の原子から放出する磁気の光子１個のエネルギーは１０−５３Ｊです。
太陽からやって来て、可視光として届く磁気の光子のエネルギーは、地球の電子から放出する磁気の光子のエネルギーの、
２．８６×１０−５１Ｊ÷１０−５３Ｊ＝２８６倍から６６７倍です。
【請求項１９】
太陽から出発する磁気の光子１個のエネルギーは、地球の原子から放出する磁気の光子１個のエネルギーの何倍か。
光子のエネルギーは、５Ｋ＝５×１．１２×１０９ｍ走ると１／１０に成ります。このことについて、本発明者は特願２００４−２４７５７４に記しました。
太陽と地球の距離は約１．５×１０１１ｍですから、エネルギーは、
１．５×１０１１ｍ÷（５．６×１０９）×１０＝２．６８×１０２倍です。
地球に可視光としてたどり着きます。その磁気の光子１個のエネルギーは地球の原子から放出する磁気の光子１個のエネルギーの２８６倍から６６７倍ですから、
太陽から出発する磁気の光子１個のエネルギーは、地球の原子から放出する磁気の光子のエネルギーの、
２６８×２８６＝７６６４８倍です。
２６８×６６７＝１７８７５６倍です。
【請求項２０】
宇宙における電子のラブが１公転する事によってできる電気の光子１個のエネルギーと１０８個のエネルギー。電気の光子の軌道エネルギーの式はどのようであるか。宇宙の軌道における電子のラブが１自転することによってできる磁気の光子１個のエネルギーと１０１６個の磁気の光子のエネルギー。磁気の光子の軌道エネルギーの式はどのようであるか。
地球と宇宙の軌道の距離をＡｍとします。
宇宙の軌道において、電子のラブが１公転する事によってできる電気の光子１個のエネルギーはどれだけか。
Ａｍ÷（５×１．１２×１０９ｍ）×１０×８×１０−３８Ｊ＝Ａ×１．４２９×１０−４６Ｊです。
１０８個の電気の光子のエネルギーはどれだけか。
Ａ×１．４２９×１０−４６Ｊ×１０８＝Ａ×１．４２９×１０−３８Ｊです。
電気の光子の軌道エネルギーの式は、
Ａｍ÷（５×１．１２×１０９ｍ）×１０×１０−３３Ｊ・ｍ÷軌道又はエネルギー＝Ａ×１．７８６×１０−４２Ｊ・ｍ÷軌道又はエネルギー  です。
宇宙の軌道において、電子のラブが１自転する事によってできる磁気の光子１個のエネルギーはどれだけか。
Ａｍ÷（５×１．１２×１０９ｍ）×１０×１０−５３Ｊ＝Ａ×１．７８６×１０−６２Ｊです。
１０１６個の磁気の光子のエネルギーは、
Ａ×１．７８６×１０−６２Ｊ×１０１６＝Ａ×１．７８６×１０−４６Ｊです。
磁気の光子の軌道エネルギーの式は、
Ａｍ÷（５×１．１２×１０９ｍ）×１０×１０−４１Ｊ・ｍ÷軌道又はエネルギー＝Ａ×１．７８６×１０−５０Ｊ・ｍ÷軌道又はエネルギー  です。
【手続補正２】
【補正対象書類名】明細書
【補正対象項目名】全文
【補正方法】変更
【補正の内容】
【発明の詳細な説明】
【技術分野】
【０００１】  この発明は、電子の軌道がどのようにでき、どのようになっているかに関する。
【背景技術】
【０００２】  電子の中はＸ線や特性Ｘ線が満ちている。しかし、このＸ線がどのようにしてできたのかは知られていない。
【本発明が解決しようとする課題】
【０００３】１．  磁気の光子が引力に成る原理。
２．  電子のラブは１公転して何個の電気の光子を作り、１個の電気の光子のエネルギーはいくらか。
３．  電子のラブは１自転してどれだけのエネルギーの磁気の光子を作るか。
４．  地球に存在する電気の光子１個のエネルギーは約８×１０−３８です。（但し、導線でできる電気の光子１個のエネルギーは８×１０−２２Ｊです。）
電気の光子はこの光子が集まってエネルギーを作っている。
５．  地球に存在する磁気の光子１個のエネルギーは１０−５３Ｊです。（但し、導線でできる磁気の光子１個のエネルギーは１．２５×１０−３７Ｊです。）
磁気の光子はこの磁気の光子が集まってエネルギーを作っている。
６．  電子のラブの軌道エネルギーの式と、電気の光子の軌道エネルギーの式と、磁気の光子の軌道エネルギーの式はどれだけか。
７．  電子のラブが１公転する事によって、８×１０−３８Ｊの電気の光子ができる公転軌道はいくらか。
８．  電子のラブが１自転することによって１０−５３Ｊの磁気の光子ができる自転軌道はいくらか。
９．  どうして電気の光子は１０８個集まるのか。どうして磁気の光子は１０１６個集まるのか。数について。物理的環境について。
１０．  電気の光子の軌道エネルギーと電気の光子の数。
１１．  磁気の光子の軌道エネルギーと磁気の光子の数。
１２．  電子のラブが外側の殻から内側の殻へ移動するとき光子が放出する。この光子はどのような光子か。
１３．  原子から放出した光子はどのようになるか。
１４．  １個の電気の光子の軌道エネルギーの式はどれ位か。
１５．  １個の磁気の光子の軌道エネルギーの式はどれ位か。
１６．  ８×１０−３８Ｊの電気の光子の軌道と１０−５３Ｊの磁気の光子の軌道はどれ位か。
１７．  可視光の電気の光子１個のエネルギーはどれ位か。可視光の磁気の光子１個のエネルギーはどれ位か。
１８．  太陽からやって来る磁気の光子１個のエネルギーは、地球の原子から放出する磁気の光子１個のエネルギーの何倍か。
１９．  太陽から出発する磁気の光子１個のエネルギーは、地球の原子から放出する磁気の光子１個のエネルギーの何倍か。
２０．  宇宙における電子のラブが１公転する事によってできる電気の光子１個のエネルギーと１０８個のエネルギー。電気の光子の軌道エネルギーの式はどのようであるか。
【課題を解決するための手段】
【０００４】    本発明者は２００５年１月２５日提出した特許願において、電子のラブが１公転する事によって、８×１０−３８Ｊの電気の光子を作り、電子のラブが１自転することによって１０−５３Ｊの磁気の光子ができることを理解した。
それで、地球に存在する電気の光子１個のエネルギーは８×１０−３８Ｊです。
磁気の光子１個のエネルギーは１０−５３Ｊです。
Ｘ線や紫外線や可視光線や赤外線はこれらの電気の光子や磁気の光子が集まったものです。それでは、電子の中の軌道はどのようになっているのでしょうか。
電子のラブは１公転することによって１０８個の電気の光子ができるので、この光子は１つの集団と成る。この集団のエネルギーは８×１０−３８Ｊ×１０８＝８×１０−３０Ｊです。
電子のラブが１公転し、８×１０−３８Ｊの電気の光子を作る軌道は、
０．７５×１０−２５Ｊ・ｍ÷（８×１０−１４Ｊ）＝０．９３×１０−１２ｍです。約１０−１２ｍです。
電気の光子の１０−１２ｍの軌道エネルギーは、
１０−３３Ｊ・ｍ÷１０−１２ｍ＝１０−２１Ｊです。
それで、１０−１２ｍの軌道には、８×１０３０Ｊの電気の光子が、
１０−２１Ｊ÷（８×１０−３０Ｊ）＝１．２５×１０８個回転しています。
磁気の光子は１０１６個集まって１つの磁気の光子になっています。
磁気の光子が１０１６個集まったエネルギーは、１０−５３Ｊ×１０１６個＝１０−３７Ｊの磁気の光子になります。
磁気の光子の１０−１２ｍの軌道エネルギーは、
１０−４１Ｊ・ｍ÷１０−１２ｍ＝１０−２９Ｊです。
それで、１０−１２ｍの軌道には、１０−３７Ｊの磁気の光子が、
１０−２９Ｊ÷１０−３７Ｊ＝１０８個クロス回転しています。
このように、軌道に於ける光子の数を知る事ができます。
【発明の実施態様】
【０００５】１．  磁気の光子が引力に成る原理。（図１）
磁気の光子は重なり合って、電子のラブの公転をクロス回転するものであるから引力になる。
引くためには結ぶものが必要です。その結ぶものが磁気の光子です。
磁気の光子は結ぶ輪です。原子と原子を結ぶ輪です。
磁気の光子は電子のラブの軌道に入り込み、電子のラブと電子のラブをダブルクロス回転する。これがミクロの結合である。
地球は地球の原子から放出する１０−５３Ｊの磁気の光子が満ちている。
結ぶ輪が多いほど結ぶ力は大きい。
その結ぶ輪に物質の電子のラブは結び付けられている。それが地球の引力である。
２．  電子のラブは１公転して何個の電気の光子を作り、１個の電気の光子のエネルギーはいくらか。
２００５年１月２５日提出の特許願の「請求項３」の３１から、
１秒間にできる電気の光子のエネルギーの式はどのようであるか。
１秒間にできる電気の光子のエネルギー＝電子のラブの１秒間の公転数×１０８×電気の光子１個のエネルギー。
電子のラブの１秒間の公転数は１０１６回です。１回公転すると１０８個の電気の光子ができる。
電気の光子１個のエネルギーは８×１０−３８Ｊです。
１秒間にできる電気の光子のエネルギー＝１０１６×１０８×８×１０−３８Ｊ＝８×１０−１４Ｊ。
この事によって、電子のラブは１公転して１０８個の電気の光子を作り、１個の電気の光子のエネルギーは８×１０−３８Ｊです。
３．  電子のラブは１自転してどれだけのエネルギーの磁気の光子を作るか。
２００５年１月２５日提出の特許願の「請求項３」の３２から、
１秒間にできる磁気の光子のエネルギー＝電子のラブの１秒間の自転数×磁気の光子１個のエネルギー。
電子の電子のラブの自転数は１０３２回で、磁気の光子１個のエネルギーは１０−５３Ｊですから、１秒間にできる磁気の光子のエネルギーは、
１０３２回×１０−５３Ｊ＝１０−２１Ｊです。
この事によって、電子のラブは１自転して１０−５３Ｊの磁気の光子を作る。
４．  地球に存在する電気の光子１個のエネルギーは約８×１０−３８Ｊです。（但し、導線でできる電気の光子１個のエネルギーは８×１０−２２Ｊです。）
電気の光子はこの光子が集まってエネルギーを作っている。
例えば、１０−３０Ｊの電気の光子のエネルギーは、８×１０−３８Ｊの電気の光子が、
１０−３０Ｊ÷（８×１０−３８Ｊ）＝１．２５×１０７個集まったものです。
例えば、８×１０−３０Ｊの電気の光子は、８×１０−３８Ｊの光子が１０８個集まったものです。
５．  地球に存在する磁気の光子１個のエネルギーは１０−５３Ｊです。（但し、導線でできる磁気の光子１個のエネルギーは１．２５×１０−３７Ｊです。）
磁気の光子はこの磁気の光子が集まってエネルギーを作っている。
例えば、１０−３５Ｊの磁気の光子は、１０−５３Ｊの磁気の光子が、
１０−３５Ｊ÷１０−５３Ｊ＝１０１８個集まったものです。
例えば、１０−３７Ｊの磁気の光子は、１０−５３Ｊの磁気の光子が１０１６個集まったものです。
６．  電子のラブの軌道エネルギーの式と、電気の光子の軌道エネルギーの式と、磁気の光子の軌道エネルギーの式はどれだけか。
電子のラブの軌道エネルギーの式は、
０．７５×１０−２５Ｊ・ｍ÷軌道又はエネルギー  です。
電子のラブはこの軌道を１公転し８×１０−３８Ｊの磁気の光子を作る。
１公転し１０８の磁気の光子ができる。それで、１公転し、全部で８×１０−３０Ｊの電気の光子ができる。
電子のラブは１自転し、１０−５３Ｊの磁気の光子を作る。
磁気の光子は１０１６個束になって１０−３７Ｊの磁気の光子になる。
電気の光子の軌道エネルギーの式は、
１０−３３Ｊ・ｍ÷軌道又はエネルギー  です。
この軌道には８×１０−３８Ｊの電気の光子が１０８個集まった８×１０３０Ｊの電気の光子が回転している。
磁気の光子の軌道エネルギーの式は、
１０−４１Ｊ・ｍ÷軌道又はエネルギー  です。
この軌道には１０−５３Ｊの磁気の光子が１０１６個集まった１０−３７Ｊの磁気の光子がクロス回転している。
７．  電子のラブが１公転する事によって、８×１０−３８Ｊの電気の光子ができる公転軌道はいくらか。
この軌道は電子のラブの質量エネルギーとみなされている８×１０−１４Ｊが１秒間に電機のエネルギーになる軌道であるから、その軌道は、
０．７５×１０−２５Ｊ÷（８×１０−１４Ｊ）＝０．９３７５×１０−１２ｍです。
８．  電子のラブが１自転することによって１０−５３Ｊの磁気の光子ができる自転軌道はいくらか。
自転の軌道は、
１０−４１Ｊ・ｍ÷（８×１０−１４Ｊ）＝１．２５×１０−２８ｍです。
９．  どうして電気の光子は１０８個集まるのか。どうして磁気の光子は１０１６個集まるのか。数について。物理的環境について。
数について。
電気の光子が１０８個集まるのは、電子のラブが１公転し１０８個の電気の光子を作るからです。
磁気の光子が１０１６個集まるのは、電子のラブが１公転する間に１０１６回自転するからです。
１秒間に電子のラブは１０２４回公転し、１０３２回自転するからです。
物理的環境について。
電子のラブの軌道のエネルギーは、できた電気の光子の何倍のエネルギーであるか。
電気の光子ができた軌道のエネルギーは、
０．７５×１０−２５Ｊ・ｍ÷（０．９３７５×１０−１２ｍ）＝８×１０−１４Ｊです。
このエネルギーは、できた電気の光子の何倍のエネルギーか。
８×１０−１４Ｊ÷（８×１０−３８Ｊ）＝１０２４倍です。
磁気の光子ができた軌道のエネルギーは、できた磁気の光子の何倍のエネルギーか。
８×１０−１４Ｊ÷１０−５３＝８×１０３９倍です。
この事から、磁気の光子は自分のエネルギーの８×１０３９倍のエネルギーによって、１０１６個が集まって束になった。
電気の光子は自分のエネルギーの１０２４倍のエネルギーによって、１０８個が集まって束になった。
電気の光子ができた軌道は、０．９３７５×１０−１２ｍであり、磁気の光子のできた軌道は１．２５×１０−２８ｍである。
電気の光子ができた軌道は磁気の光子ができた軌道の何倍か。
０．９３７５×１０−１２ｍ÷（１．２５×１０−２８ｍ）＝７．５×１０１５倍です。
この事から、磁気の光子ができた軌道は、磁気の光子ができた軌道の７．５×１０１５分の１であるから、１０８倍もたくさん集まった。
１０．  電気の光子の軌道エネルギーと電気の光子の数。（図３）
電気の光子が回転する軌道のエネルギーを式により算出し、１０８個集まった８×１０−３０Ｊの電気の光子が何個分のエネルギーであるかを算出する。８×１０−３８Ｊの電気の光子が何個分のエネルギーであるかを算出する。
但し、軌道エネルギーは１秒間にできるエネルギーであるから、１秒間に回転する電気の光子の数である。
例えば、１０−１２ｍの軌道では、軌道エネルギーは、
１０−３３Ｊ・ｍ÷１０−１２ｍ＝１０−２１Ｊです。
１０−２１Ｊは８×１０−３０Ｊの電気の光子が何個分か。
１０−２１Ｊ÷（８×１０−３０Ｊ）＝１．２５×１０８個分です。
１０−２１Ｊは８×１０−３８Ｊの電気の光子が何個分か。
１０−２１Ｊ÷（８×１０−３８Ｊ）＝１．２５×１０１６個分です。
2005269892.tif 000010
１１．  磁気の光子の軌道エネルギーと磁気の光子の数。
磁気の光子が回転する軌道のエネルギーを式により算出し、このエネルギーは１秒間に、１０１６個集まってできた１０−３７Ｊの磁気の光子が何個分のエネルギーであるかを算出する。１０−５３Ｊの磁気の光子が何個分のエネルギーであるかを算出する。
例えば、１０−１２ｍの軌道では、軌道エネルギーは、
１０−４１Ｊ・ｍ÷１０−１２ｍ＝１０−２９Ｊです。
１０−２９Ｊは１０−３７Ｊの磁気の光子が何個分か。
１０−２９Ｊ÷１０−３７Ｊ＝１０８個です。
１０−２９Ｊは１０−５３Ｊの磁気の光子が何個分か。
１０−２９Ｊ÷１０−５３Ｊ＝１０２４個分です。
2005269892.tif 000011
１２．  電子のラブが外側の殻から内側の殻へ移動するとき光子が放出する。この光子はどのような光子か。（図４）
１個の、電子のラブは外側の軌道の光子を放出し、より小さなものとなって内側の殻へ移動します。
例えば、１０ｎｍの殻から１０ｎ−１ｍの殻へ移動する場合。
１０ｎｍの殻に居るとき、電子のラブの外側の光子は１０−１０ｍです。
この１０−１０ｍの光子を放出して、電子のラブは１０ｎ−１ｍの殻へ移動します。
放出した１０−１０ｍの軌道の光子は、
８×１０−３０Ｊの電気の光子が１０６個です。（８×１０−３８Ｊの電気の光子は１０１４個です。）
このエネルギーは、８×１０−３０Ｊ×１０６＝８×１０−２４Ｊです。
１０−３７Ｊの磁気の光子が１０６個です。（１０−５３Ｊの磁気の光子は１０２２個です。）
このエネルギーは、１０−３７Ｊ×１０６＝１０−３１Ｊです。
これは１秒間のエネルギーです。
１秒間に８×１０−３０Ｊの電気の光子が１０６個と、１０−３７Ｊの磁気の光子が１０６個放出します。
１３．  原子から放出した光子はどのようになるか。
原子から放出した電気の光子と磁気の光子は集まって束になって電磁波として放出する場合と、電気の光子と磁気の光子と別々に放出する場合がある。
強いエネルギーが放出する場合は束になって電磁波として放出し、弱いエネルギーで放出する場合は電気の光子１個と磁気の光子複数個で別々に放出する。
電気の光子は集まって放出する。磁気の光子は集まって放出する。
そして、しばらくすると、その集まった束は解散し、別々１個１個の光子に分散する。周囲の環境が分散させる。
電気の光子１個のエネルギーは８×１０−３８Ｊです。
磁気の光子１個のエネルギーは１０−５３Ｊです。磁気の光子が引力に成る。
１４．  １個の電気の光子の軌道エネルギーの式はどれ位か。
１０８個の電気の光子の軌道エネルギーの式は、１０−３３Ｊ・ｍ÷軌道又はエネルギー  ですから、
１個の電気の光子の軌道エネルギーの式は、
１０−３３Ｊ・ｍ÷１０８÷軌道又はエネルギー＝１０−４１Ｊ・ｍ÷軌道又はエネルギー  です。
１５．  １個の磁気の光子の軌道エネルギーの式はどれ位か。
１０１６個の磁気の光子の軌道エネルギーの式は、１０−４１Ｊ・ｍ÷軌道又はエネルギー  ですから、
１個の磁気の光子の軌道エネルギーの式は、
１０−４１Ｊ・ｍ÷１０１６÷軌道又はエネルギー＝１０−５７Ｊ・ｍ÷軌道又はエネルギー  です。
１６．  ８×１０−３８Ｊの電気の光子の軌道と１０−５３Ｊの磁気の光子の軌道はどれ位か。
８×１０−３８Ｊの電気の光子の軌道は、
１０−４１Ｊ・ｍ÷（８×１０−３８Ｊ）＝１．２５×１０−４ｍです。
１０−５３Ｊの磁気の光子の軌道は、
１０−５７Ｊ・ｍ÷１０−５３Ｊ＝１０−４ｍです。
この波長は２×１０−４ｍで遠赤外線です。それで地球は暖かい。
１７．  可視光の電気の光子１個のエネルギーはどれ位か。可視光の磁気の光子１個のエネルギーはどれ位か。
可視光の波長は約３×１０−７ｍから７×１０−７ｍです。軌道は１．５×１０−７ｍから３．５×１０−７ｍです。
１．５×１０−７ｍの電気の光子１個のエネルギーは、
１０−４１Ｊ・ｍ÷（１．５×１０−７ｍ）＝６．６７×１０−３５Ｊです。
これが１０８個では、６．６７×１０−２７Ｊです。
３．５×１０−７ｍの電気の光子１個のエネルギーは、
１０−４１Ｊ・ｍ÷（３．５×１０−７ｍ）＝２．８６×１０−３５Ｊです。
１０８個では、２．８６×１０−２７Ｊです。
１．５×１０−７ｍの磁気の光子のエネルギーは、
１０−５７Ｊ・ｍ÷（１．５×１０−７ｍ）＝６．６７×１０−５１Ｊです。
これが１０１６個では、６．６７×１０−３５Ｊです。
３．５×１０−７ｍの磁気の光子のエネルギーは、
１０−５７Ｊ・ｍ÷（３．５×１０−７ｍ）＝２．８６×１０−５１Ｊです。
これが１０１６個では、２．８６×１０−３５Ｊです。
１８．  太陽からやって来る磁気の光子１個のエネルギーは、地球の原子から放出する磁気の光子１個のエネルギーの何倍か。
太陽からやって来る可視光は、磁気の光子１個のエネルギーは、２．８６×１０−５１Ｊから６．６７×１０−５１Ｊです。
地球の原子から放出する磁気の光子１個のエネルギーは１０−５３Ｊです。
太陽からやって来て、可視光として届く磁気の光子のエネルギーは、地球の電子から放出する磁気の光子のエネルギーの、
２．８６×１０−５１Ｊ÷１０−５３Ｊ＝２８６倍から６６７倍です。
１９．  太陽から出発する磁気の光子１個のエネルギーは、地球の原子から放出する磁気の光子１個のエネルギーの何倍か。
光子のエネルギーは、５Ｋ＝５×１．１２×１０９ｍ走ると１／１０に成ります。このことについて、本発明者は特願２００４−２４７５７４に記しました。
太陽と地球の距離は約１．５×１０１１ｍですから、エネルギーは、
１．５×１０１１ｍ÷（５．６×１０９）×１０＝２．６８×１０２倍です。
地球に可視光としてたどり着きます。その磁気の光子１個のエネルギーは地球の原子から放出する磁気の光子１個のエネルギーの２８６倍から６６７倍ですから、
太陽から出発する磁気の光子１個のエネルギーは、地球の原子から放出する磁気の光子のエネルギーの、
２６８×２８６＝７６６４８倍です。
２６８×６６７＝１７８７５６倍です。
２０．  宇宙における電子のラブが１公転する事によってできる電気の光子１個のエネルギーと１０８個のエネルギー。電気の光子の軌道エネルギーの式はどのようであるか。
宇宙の軌道における電子のラブが１自転することによってできる磁気の光子１個のエネルギーと１０１６個の磁気の光子のエネルギー。磁気の光子の軌道エネルギーの式はどのようであるか。
地球と宇宙の軌道の距離をＡｍとします。
宇宙の軌道において、電子のラブが１公転する事によってできる電気の光子１個のエネルギーはどれだけか。
Ａｍ÷（５×１．１２×１０９ｍ）×１０×８×１０−３８Ｊ＝Ａ×１．４２９×１０−４６Ｊです。
１０８個の電気の光子のエネルギーはどれだけか。
Ａ×１．４２９×１０−４６Ｊ×１０８＝Ａ×１．４２９×１０−３８Ｊです。
電気の光子の軌道エネルギーの式は、
Ａｍ÷（５×１．１２×１０９ｍ）×１０×１０−３３Ｊ・ｍ÷軌道又はエネルギー＝Ａ×１．７８６×１０−４２Ｊ・ｍ÷軌道又はエネルギー  です。
宇宙の軌道において、電子のラブが１自転する事によってできる磁気の光子１個のエネルギーはどれだけか。
Ａｍ÷（５×１．１２×１０９ｍ）×１０×１０−５３Ｊ＝Ａ×１．７８６×１０−６２Ｊです。
１０１６個の磁気の光子のエネルギーは、
Ａ×１．７８６×１０−６２Ｊ×１０１６＝Ａ×１．７８６×１０−４６Ｊです。
磁気の光子の軌道エネルギーの式は、
Ａｍ÷（５×１．１２×１０９ｍ）×１０×１０−４１Ｊ・ｍ÷軌道又はエネルギー＝Ａ×１．７８６×１０−５０Ｊ・ｍ÷軌道又はエネルギー  です。
【発明の効果】
【０００６】  この発明によって、電子のラブが１公転する事によって１０８個の電子の光子ができ、電気の光子１個のエネルギーは８×１０−３８Ｊである事が理解できた。
そして、電子のラブの軌道でできた電気の光子はその場の環境で１０８個集まって電気の光子の軌道を回転することが理解できた。
電子のラブが１自転することによって１０−５３Ｊの磁気の光子ができる事が解った。この光子が１０１６個集まって磁気の光子の軌道をクロス回転していることが理解できた。
原子の外に出ると、周囲の環境に影響され、電気の光子も磁気の光子も１個の光子になることが理解できた。
電気の光子は８×１０−３９Ｊの電気の光子が集まって、高エネルギーの電気の光子に成っている。
それで、高エネルギーの電気の光子が崩壊すると、８×１０−３９Ｊの電気の光子になる。
この電気の光子の波長は、２×１０−４ｍで遠赤外線の軌道であるので暖かいと理解できた。
磁気の光子は１０−５３Ｊの磁気の光子が集まって、高エネルギーの磁気の光子に成っている。
それで、高エネルギーの磁気の光子が崩壊すると、１０−５３Ｊの磁気の光子になる。
この磁気の光子が引力に成っていることが理解できた。
【図面の簡単な説明】
【０００７】
【図１】  磁気の光子が引力になる理由は  磁気の光子は電子のラブと電子のラブを結ぶ輪であるからです。輪が多いほど引力は強い。
【図２】  電子のラブが１公転することによって、８×１０−３８Ｊの磁気の光子が１０８個できる。公転軌道は０．９３７５×１０−１２ｍです。電子のラブは１自転することによって、１０−５３Ｊの磁気の光子を１個作る。自転軌道は１．２５×１０−２８ｍです。電子のラブは１公転する間に、１０１６回自転し、１０−５３Ｊの磁気の光子を１０１６個作る。これらの光子が集まって、軌道を回転する。
【図３】  電気の光子の軌道に於いて、１０−１２ｍでは８×１０−３０Ｊの電気の光子が１０８個、１０−１１ｍでは１０７個、１０−１０ｍでは１０６個、１０−９ｍでは１０５個、１０−８ｍでは１０４個回転している。磁気の光子の軌道に於いて、１０−１２ｍでは１０−３７Ｊの磁気の光子が１０８個、１０−１１ｍでは１０７個、１０−１０ｍでは１０６個、１０−９ｍでは１０５個、１０−８ｍでは１０４個クロス回転している。
【図４】  電子のラブが内側の殻に移動するとき、外側の光子を放出する。例えば、１０−１０ｍの光子を放出する場合、８×１０−３０Ｊの電気の光子を１０６個と、１０−３７Ｊの磁気の光子を１０６個放出する。
【符号の説明】
【０００８】１  電子のラブ
２  磁気の光子
３  １０８個の電気の光子
４  １０１６個の磁気の光子
５  電気の光子の軌道
６  磁気の光子の軌道
７  内側の殻
８  外側の殻
９  電子のラブの外側の光子（軌道は１０−１０ｍ）
１０  放出した１０−１０ｍの軌道の電気の光子
１１  放出した１０−１０ｍの軌道の磁気の光子